(57)【要約】      （修正有）【課題】汗や水気等の拭き取り及び装身具としての機能を損ねることなく、小物等の被収容物を収容することが可能な布製身の回り品を提供する。【解決手段】本考案に係る布製身の回り品１は、長方形状の布地が長手方向Ｘの中央部で、短手方向Ｙの中心軸を中心にして半分に折り合わされ、長手方向Ｘに於ける両端部１５が、折り合わされた折り目部１３から長手方向Ｘに於ける所定の距離までそれぞれ接合され、これにより、被収容物を収容することが可能な収容部１２が設けられており、折り合わされた布地の折り目部１３とは反対側の短手方向Ｙの端部１６が開口し、さらに、長手方向Ｘに於ける両端部のうち、接合されていない端部を含む布地部分が持ち手部１１として機能することを特徴とする。【選択図】図１
0003219116.tif 000002
【実用新案登録請求の範囲】
【請求項１】
長方形状の布地が長手方向の中央部で、短手方向中心軸を中心にして半分に折り合わされ、
前記長手方向に於ける両端部が、折り合わされた折り目部から長手方向に於ける所定の距離までそれぞれ接合し、これにより、被収容物を収容することが可能な収容部が設けられており、
前記折り合わされた前記布地の前記折り目部とは反対側の短手方向の端部が開口し、
さらに、前記長手方向に於ける両端部のうち、接合されていない端部を含む布地部分が持ち手部として機能することを特徴とする布製身の回り品。
【請求項２】
前記接合は、前記長手方向の両端部に於いて、前記折り目部から、長手方向端部の長さの略１／２となる位置まで延在していることを特徴とする請求項１に記載の布製身の回り品。
【請求項３】
前記持ち手部が、前記布地の前記折り目部とは反対側の前記端部に向かうに従い先細りとなる台形状となっている請求項１又は２に記載の布製身の回り品。
【考案の詳細な説明】
【技術分野】
【０００１】
本考案は、手ぬぐい、タオル等に用いることが可能な布製身の回り品に関する。
【背景技術】
【０００２】
手拭いは、一般に木綿等の原料を用いて平織りされた布地からなる。手拭いは、汗や水気の拭き取り、拭き掃除等に用いられる。また、祭礼等では装身具としても用いられることがある。
【０００３】
この様に、従来の手拭いには様々な用途があるが、さらに他の機能を付加して利便性を向上させた手拭いがある。例えば、特許文献１には、ポリエチレン袋が展開状に接着して設けられた手拭いが開示されている。また、特許文献２には、石鹸等を収容することが可能な小袋付きの手拭いが開示されている。
【０００４】
しかし、特許文献１に開示の手拭いでは、汗や水気の拭き取り等の際にポリエチレン袋が邪魔となり、手拭い本来の機能を十分に果たせない場合がある。さらに、祭礼等での装身具に用いることも困難になる。また、特許文献２に開示の小袋付き手拭いに於いても前記装身具に用いるのが困難である。
【先行技術文献】
【特許文献】
【０００５】
【特許文献１】実願昭５８−１２１５１６号公報
【特許文献２】実用新案登録第３２００８５３号公報
【考案の概要】
【考案が解決しようとする課題】
【０００６】
本考案は、汗や水気等の拭き取り及び装身具としての機能を損ねることなく、小物等の被収容物を収容することが可能な布製身の回り品を提供することを目的とする。
【課題を解決するための手段】
【０００７】
本考案に係る布製身の回り品は、前記の課題を解決するために、長方形状の布地が長手方向の中央部で、短手方向中心軸を中心にして半分に折り合わされ、前記長手方向に於ける両端部が、折り合わされた折り目部から長手方向に於ける所定の距離までそれぞれ接合し、これにより、被収容物を収容することが可能な収容部が設けられており、前記折り合わされた前記布地の前記折り目部とは反対側の短手方向の端部が開口し、さらに、前記長手方向に於ける両端部のうち、接合されていない端部を含む布地部分が持ち手部として機能することを特徴とする。
【０００８】
前記の構成に於いて、前記接合は、前記長手方向の両端部に於いて、前記折り目部から、長手方向端部の長さの略１／２となる位置まで延在していることが好ましい。
【０００９】
また前記の構成に於いては、前記持ち手部が、前記布地の前記折り目部とは反対側の前記端部に向かうに従い先細りとなる台形状となっていることが好ましい。
【考案の効果】
【００１０】
本考案に係る布製身の回り品は、長方形状の布地が長手方向の中央部で、短手方向中心軸を中心にして半分に折り合わされて構成されている。そして、長手方向に於ける両端部が、折り合わされた折り目部から長手方向に於ける所定の距離までそれぞれ接合されている。これにより、本考案に於いては、被収容物を収容することが可能な収容部を具備させることができる。そして、例えば、本考案の布製身の回り品を手拭い等に適用した場合には、汗や水気等の拭き取り機能、及び装身具としての機能等を損なうことなく、被収容物の収容・保管が可能になる。また、本考案に係る布製身の回り品は、長手方向に於ける両端部のうち、接合されていない端部を含む布地部分を持ち手部として機能させることもできる。その結果、持ち手部同士を結び合わせることで、運搬機能の向上も図れる。
【図面の簡単な説明】
【００１１】
【図１】本考案の実施の一形態に係る布製身の回り品の概略を表す模式図である。
【図２】前記身の回り品の材料となる布地の概略を表す模式図である。
【図３】本考案の他の実施の形態に係る布製身の回り品の概略を表す模式図である。
【考案を実施するための形態】
【００１２】
（実施の形態１）
本実施の形態に係る布製身の回り品（以下、「身の回り品」という。）について、図１及び図２に基づき以下に説明する。図１は、本実施の形態に係る身の回り品の概略を表す模式図である。図２は、本実施の形態に係る身の回り品の材料となる布地の概略を表す模式図である。
【００１３】
図１に示すように、本実施の形態の身の回り品１は全体形状が長方形状であり、持ち手部１１、収容部１２、折り目部１３及び接合部１４を少なくとも備える。
【００１４】
本実施の形態の身の回り品１は、図２に示す長方形状の布地１０に於いて、長手方向Ｘの中央部で、短手方向Ｙの中心軸Ｚを中心にして半分に折り合わされて構成される。このとき、折り合わせは、布地１０の長手方向Ｘにおける両端の短辺端部１６’が重なる様に行われる。また、布地１０の中心軸Ｚにおける折り合わせにより、前記折り目部１３が形成される。
【００１５】
布地１０の材料としては特に限定されず、従来公知のものを用いることができる。具体的には、例えば、バンブーレーヨン（竹繊維）、麻、木綿、綿、絹等が挙げられる。これらの材料のうち、バンブーレーヨンは、吸水性及び乾燥性に優れ、繊維の摩擦抵抗が小さく涼しい肌触りを備えている。そのため、本実施の形態の身の回り品を手拭いとして用いる場合には、当該バンブーレーヨンを用いるのが好ましい。
【００１６】
布地１０が折り合わされて構成される身の回り品１は、さらに長手方向Ｘにおける長辺端部１５の一部が接合部１４により接合されて構成されている。より具体的には、布地１０が折り合わされた状態に於いて、長手方向Ｘに於ける長辺端部１５に対し、折り目部１３から略１／２となる位置まで接合部１４により接合されている。これにより、長辺端部１５において接合部１４により接合されている部分を含む布地部分を、収容部１２として形成することができる。
【００１７】
接合部１４による接合の方法としては特に限定されず、例えば、糸を用いて縫い合わせる縫合や、接着剤等の接合材を用いた接着等が挙げられる。
【００１８】
また、長辺端部１５において接合部１４により接合されていない部分を含む布地部分は、持ち手部１１として形成することができる。そして、持ち手部１１同士を、結び合わせることにより、収容部１２に被収容物を収容した状態のままで運搬等する際に、持ち運びを容易にする。
【００１９】
身の回り品１に於ける折り目部１３とは反対側の短手方向Ｙの短辺端部１６は、相互に接合されていない。そのため、短辺端部１６は開口した状態となっている。これにより、被収容物を収容部１２に収容するのを容易にする。
【００２０】
身の回り品１の長手方向Ｘに於ける長さ、及び短手方向Ｙに於ける長さは特に限定されず、適宜設定することができる。また、長手方向Ｘの長さと、短手方向Ｙの長さの比率についても特に限定されず、適宜設定することができる。
【００２１】
また、接合部１４の形成位置に関し、本実施の形態では、折り目部１３から、長手方向Ｘの長辺端部１５の略１／２となる位置まで延在する場合を例にして説明した。しかし、本考案はこの態様に限定されず、接合されていない長辺端部１５を含む布地部分としての持ち手部１１が、少なくとも形成できていればよい。
【００２２】
以上に説明した身の回り品１は、手拭いやタオル等に適用することが可能であり、例えば、本実施の形態の身の回り品１を手拭いに適用した場合には、汗や水気等の拭き取り及び装身具としての機能を損ねることなく、小物等の被収容物を収容部１２に収容することができる。また、持ち手部２１を備えることで、被収容物の運搬機能も向上させることができ、利便性に優れる。
【００２３】
（その他の事項）
以上の説明に於いては、本考案の最も好適な実施態様について説明した。しかし、本考案は当該実施態様に限定されるものではなく、本考案の実用新案登録請求の範囲に記載された技術的思想と実質的に同一の範囲で種々の変更が可能である。
【００２４】
例えば、図３に示す身の回り品２の様に、持ち手部２１が、布地の折り目部１３とは反対側の短辺端部２３に向かうに従い、先細りとなる様な略台形状の態様であってもよい。このような態様の身の回り品２であっても、汗や水気等の拭き取り及び装身具としての機能を損ねることなく、小物等の被収容物を収容することができる。
【符号の説明】
【００２５】
１、２  布製身の回り品
１０  布地
１１、２１  持ち手部
１２  収容部
１３  目部
１４  接合部
１５、２２  長辺端部
１６  短辺端部
２３  短辺端部
Ｘ  長手方向
Ｙ  短手方向
Ｚ  中心軸
【図１】
0003219116.tif 000003
【図２】
0003219116.tif 000004
【図３】
0003219116.tif 000005